(57)【要約】【課題】電子レンジ調理用蒸し器を、水切り器具兼用にする。【解決手段】上縁内周に載置フランジ段部１２を設けた外容器体１と、載置フランジ段部に対応するフランジ部２２を設けると共に、外容器体の容器部１１内に収納でき、且つ下方を窄めた容器部２１を備え、少なくとも１個は、底面を目皿部２４に形成した単数又は複数の内容器体２と、内容器体の上縁に密着嵌合する裾部、及びフランジ部と対応した被冠フランジ部４２、及び被冠フランジ部内方を塞ぎ、内容器体内に収納可能とした蓋部４３からなる蓋体とで構成され、前記内外容器体１，２の容器部１１，２１を楕円形に形成し、内外容器体の双方又は一方のフランジ部の短径側個所に、内容器体の底面長径側の外周形状に対応した載置凹部１４，２３を設けてなる。【選択図】図１
0003211624.tif 000002
【実用新案登録請求の範囲】
【請求項１】
上縁内周に載置フランジ段部を設けた外容器体と、前記載置フランジ段部に対応するフランジ部を設けると共に、前記外容器体の容器部内に収納でき、且つ下方を窄めた容器部を備え、少なくとも１個は、底面を目皿部に形成した単数又は複数の内容器体と、内容器体の上縁内周面に嵌合する裾部、及び前記フランジ部と対応した被冠フランジ部、及び被冠フランジ部内方を塞ぎ、内容器体の容器部内に収納可能とした蓋部からなる蓋体とで構成され、前記内外容器体の容器部を楕円形に形成し、内外容器体の双方又は一方のフランジ部の短径側個所に、内容器体の底面長径側の外周形状に対応した載置凹部を設けてなることを特徴とする電子レンジ調理用蒸し器。
【請求項２】
複数の内容器体を、目皿部を備えた目皿内容器体と目皿部を備えないボール内容器体で構成し、ボール内容器体に、ボール内容器体を目皿容器体の容器部内に重ねて収納した際に、目皿容器体より上方に突出する高さ範囲で、注ぎ口を設けてなる請求項１記載の電子レンジ調理用蒸し器。
【請求項３】
外容器体、目皿内容器体、ボール内容器体の全てに載置凹部を設けてなる請求項２記載の電子レンジ調理用蒸し器。
【考案の詳細な説明】
【技術分野】
【０００１】
本考案は、電子レンジ調理用蒸し器に関するものである。
【背景技術】
【０００２】
電子レンジ調理用蒸し器は、周知のとおり蓋付容器に目皿部材を加えて構成し、電子レンジで蒸し調理を行う調理容器で、特許文献１（実開平４−３６９２４号）に開示されている本体容器に目皿容器を積層し構成、特許文献２（特開２００２−３６０４２０号公報）に開示されている脚付き目皿を容器本体に内置した構成、特許文献３（特開２０１１−２５５１５８号公報）に開示されている容器本体に設けた段部に目皿容器を載置する構成等が知られている。
【０００３】
また水切り具として、特許文献４（特開２０１１−７８６９９号公報）には、矩形の受け容器と前記受け容器に積み重ね収納可能な水切り容器の組み合わせでコンパクト収納を実現すると共に、水切り容器を４５度水平回転させて受け容器上に載置して水切りを実施する器具が開示されている。
【先行技術文献】
【特許文献】
【０００４】
【特許文献１】実開平４−３６９２４号公報。
【特許文献２】特開２００２−３６０４２０号公報。
【特許文献３】特開２０１１−２５５１５８号公報。
【特許文献４】特開２０１１−７８６９９号公報。
【考案の概要】
【考案が解決しようとする課題】
【０００５】
電子レンジ調理用蒸し器は、目皿部材を使用するので、当該目皿部材は水切り用部材として使用することも可能であるが、特許文献２，３に開示された蒸し器においては、そのまま目皿容器内に水切り対象物を収納し、水切り器具として使用すると、本体容器内に目皿容器を収納した状態では、垂れ水収納容積が小さいので、実用的ではない。
【０００６】
また特許文献１に開示されている積層タイプの電子レンジ用蒸し器においては、垂れ水収納容積が十分であり水切り容器として実用上使用できるが、全体が嵩張っておりコンパクトな収納ができない課題がある。
【０００７】
さらに水切り器具としてコンパクト収納を実現する手段として、特許文献４に開示されている矩形容器においてボール容器と網容器を入れ子構造とし、網容器を４５度回転させて網容器をボール容器状に載置して水切り作業を行う構成を採用すると、使用時に嵩張る水切り器具を収納時にコンパクトにすることができるが、電子レンジ調理用蒸し器は、相応の耐熱樹脂を採用して形成され、網容器で構成される水切り器具は、耐熱性を考慮するまでもないので、安価な非耐熱性樹脂で形成することが一般的であるので、特許文献４記載の水切り器具を、電子レンジ調理用蒸し器とする発想は容易に推考できるものではない。また矩形容器は、隅部分の汚れを落とし難く、調理容器としては最適とは言えない。
【０００８】
そこで本考案は、水切り器具として使用し易い新規な電子レンジ調理用蒸し器を提案したものである。
【課題を解決するための手段】
【０００９】
本考案の請求項１記載に係る電子レンジ調理用蒸し器は、上縁内周に載置フランジ段部を設けた外容器体と、前記載置フランジ段部に対応するフランジ部を設けると共に、前記外容器体の容器部内に収納でき、且つ下方を窄めた容器部を備え、少なくとも１個は底面を目皿部に形成した単数又は複数の内容器体と、内容器体の上縁内周面に嵌合する裾部、及び前記フランジ部と対応した被冠フランジ部、及び被冠フランジ部内方を塞ぎ、内容器体内に収納可能とした蓋部からなる蓋体とで構成され、前記内外容器体の容器部を楕円形に形成し、内外容器体の双方又は一方のフランジ部の短径側個所に、内容器体の底面長径側の外周形状に対応した載置凹部を設けてなることを特徴とするものである。
【００１０】
しかして前記蒸し器は、内外容器体共に楕円形（非真円形容器の趣旨で、数学的楕円形に限定されない）の容器部を備えたもので、複数の内容器体の場合は、短径方向及び長径方向を一致させて、容器部を下段内容器体の容器部内に差し入れて積み重ね、単数の場合はそのまま外容器体の容器部に収納し、蓋体も上下裏返して最上段の内容器体に収納することで複数の容器体を備えた蒸し器は、全体がコンパクト化されて収納可能な状態となる。
【００１１】
電子レンジでの蒸し調理時には、目皿部を備えた内容器体（目皿内容器体）を、そのフランジ部を外容器体の載置フランジ段部上に載置し、外容器体に水を入れ、目皿内容器体の容器部内に調理対象物（食品）を入れ、蓋体の裾部を目皿内容器体の上縁内に嵌合して蓋体を被冠装着する。前記状態で電子レンジに入れて加熱調理を行うものである。
【００１２】
また水切り作業時には、目皿内容器体を通常の位置よりも水平方向に９０度回転させて、載置凹部を備えた他の内容器体或いは外容器体（載置凹部は全ての内外容器体に設けても良いし、一部の容器体に設けておいても良い）の上に重ねて使用するもので、目皿内容器体の容器部の底面長径側の外周面が載置凹部に嵌合するので、上下二段の状態で安定し、目皿容器体に水切り対象物を収納することで水切り作業がなされるものである。
【００１３】
本考案の請求項２記載に係る電子レンジ調理用蒸し器は、特に前記蒸し器において、複数の内容器体を、目皿部を備えた目皿内容器体と目皿部を備えないボール内容器体で構成し、ボール内容器体に、ボール内容器体を目皿容器体に重ねて収納した際に、目皿容器体より上方に突出する高さ範囲で、注ぎ口を設けてなるもので、目皿容器体の他に注ぎ口を有するボール内容器体を備えることで、調理器具としての多様性を確保できる。
【００１４】
本考案の請求項３記載に係る電子レンジ調理用蒸し器は、特に前記蒸し器において、外容器体、目皿内容器体、ボール内容器体の全てに載置凹部を設けてなるもので、上下段の容器体を９０度ずらして積み重ねることで、上段に位置する内容器体は、下段に位置する内外容器体の載置凹部に嵌合載置することになり、複数の内容器体を任意の組み合わせで非収納状態での積み重ねができる。
【考案の効果】
【００１５】
本考案の構成は上記の通りで、外容器体と目皿部を備えた内容器体（目皿内容器体）と蓋体とで、通常通りの電子レンジでの蒸し調理を行うことができ、特に容器部を楕円形として、容器部を下方に位置する容器部内に収納して積み重ね、更に蓋体の蓋部も同様に容器部内に収納して、全体をコンパクトに積み重ね可能とし、上下に位置する容器体を９０度ずらすことで、非収納状態での積み重ねを実現し、目皿内容器体を水切り容器として有効に使用することができたものである。
【図面の簡単な説明】
【００１６】
【図１】本考案の実施形態の一部斜視図。
【図２】同収納状態の説明図（一部切断正面図）。
【図３】同蒸調理時の使用状態の説明図で、（イ）は一部切断正面図（ロ）は平面図。
【図４】同水切り作業時の使用状態の説明図で、（イ）は一部切断正面図（ロ）は平面図。
【考案を実施するための形態】
【００１７】
次に本考案の実施形態について説明する。実施形態に示した電子レンジ調理用蒸し器は、各々耐熱樹脂で形成した外容器体１と、目皿内容器体２が２個と、ボール内容器体３と蓋体４で構成される。
【００１８】
内外容器体１，２，３は、側周面が円滑な平面視楕円形（数学的楕円形に限定されない）の容器で、外容器体１は、容器部１１の上縁内周に載置フランジ段部１２を設けると共に、長径方向の上縁端から外周に把手部１３を突設し、載置フランジ段部１２の短径側に、後述する内容器体（目皿内容器体２及びボール内容器体３）の底面長径側の外周形状に対応した載置凹部１４を設けたものである。
【００１９】
目皿内容器２は、外容器体１の容器部１１内に収納できる大きさで、且つ下方を窄めた形状の容器部２１を備え、容器部２１の上縁には、前記載置フランジ段部１２に対応するフランジ部２２を設けると共に、前記フランジ部２２の短径側の箇所に、外容器体１と同様の載置凹部２３を設け、更に容器部２１の底面に多数の透孔を穿設して目皿部２４を形成したものである。
【００２０】
ボール内容器体３は、目皿内容器体２と同一形状の容器部３１、及び注ぎ口３４の形成箇所を除いた範囲でフランジ部３２、及び目皿内容器体２と同一形状の載置凹部３３を設け、更にボール内容器体３を目皿内容器体２に重ねて収納した際に、目皿内容器体２より上方に突出する高さ範囲に、注ぎ口３４を形成したものである。
【００２１】
蓋体４は、目皿内容器体２の上縁に密着嵌合する裾部４１、及び前記フランジ部２２と対応した被冠フランジ部４２、及び被冠フランジ部４２の内方部分全体を塞ぎ、内容器体内に収納可能とした上方膨出形状の蓋部４３、及び蓋部４３に形成した凹部からなる把持部４４を備えたものである。
【００２２】
前記の電子レンジ調理用蒸し器は、上記のとおり外容器体１と、２個の目皿内容器体２と、ボール内容器体３と、蓋体４で構成され、これらを収納時（非使用時）には、図２に示すように目皿内容器体２及びボール内容器体３は、各容器部２１，３１の短径方向及び長径方向を一致させて、下段となる内容器体２，３の容器部２１，３１内に差し入れて積み重ね、そのまま外容器体１の容器部１１内に収め、蓋体４は、上下裏返して最上段の内容器体（目皿内容器体２）に蓋部４３を収めると、全体が入れ子状態でコンパクト化されるものである。
【００２３】
電子レンジでの蒸し調理時には、図３に示す通り、外容器体１と目皿内容器体２と蓋体４を使用するもので、蒸調理用の水を入れた外容器体１に、目皿内容器体２を、そのフランジ部２２を外容器体１の載置フランジ段部１２の上に載置し、目皿内容器体２の容器部２１内に調理対象物（食品）を入れ、蓋体４の裾部４１を容器部２１の上縁内に嵌合し、且つフランジ部２２の上面に被冠フランジ部４２を密着させ、蓋体４を被冠装着するものである。この状態で電子レンジに入れて加熱調理を行うと、調理対象物の蒸し調理が実現するものである。勿論外容器体１と蓋体４の組み合わせで一般的なレンジ調理も行うことができる。
【００２４】
また蒸し調理以外の水切り作業にも使用することができるもので、例えば図４に示すように、ボール内容器体３の上方に目皿内容器体２を、収納時の状態から９０度回転させて載置すると、上方の目皿内容器体２の容器部２１の底面長径側の外周面が、ボール内容器体３の載置凹部３３に嵌合する。
【００２５】
従って目皿内容器体２は、ボール内容器体３の上方に安定した状態で支持され、目皿内容器体２に水切り対象物を収納することで水切り作業がなされるものである。
【００２６】
また前記の水切り作業は、目皿内容器体２とボール内容器体３との組み合わせの他、目皿内容器体２と外容器体１との組み合わせも可能であり、２個の目皿内容器体２をそれぞれボール内容器体３及び外容器体１と組み合わせて、二組での使用も可能である。
【００２７】
なお本考案は、外容器体１と１個の目皿内容器体２と蓋体４の構成でも良く、蒸調理と水切り作業を実施することができる。
【符号の説明】
【００２８】
１    外容器体
２    目皿内容器体
３    ボール内容器体
１１，２１，３１  容器部
１２      載置フランジ段部
２２，３２    フランジ部
１３    把手部
１４，２３，３３    載置凹部
２４    目皿部
３４    注ぎ口
４      蓋体
４１    裾部
４２    被冠フランジ部
４３    蓋部
４４    把持部
【図１】
0003211624.tif 000003
【図２】
0003211624.tif 000004
【図３】
0003211624.tif 000005
【図４】
0003211624.tif 000006